(57)【要約】【課題】  容器の開封のために蓋を剥がすときに人為的な蓋の分離除去力がシール補強突条の任意のポイントを介して一箇所に集中できるようにし、小さい力でも容易に蓋の初期分離ができるようにして、蓋開封の際に過多な力の付与による容器の揺れによって誘発されるおそれのある内容物の漏れまたは除去力の分散による蓋の毀損などを防止するとともに、取り扱いの便宜性を図ることが可能な使い捨て容器を提供する。【解決手段】  前記フランジ２の上面に、等間隔で多数の頂点１１を有する多角環状のシール補強突条１０が一体に突設され、フランジ２の上面に対する内側面の角度とフランジの上面に対する外側面の角度とが異なるシール補強突条１０を具備して構成される。【選択図】図２
2006193212.tif 000002
【特許請求の範囲】
【請求項１】
容器本体の上縁部にフランジが形成され、フランジ上には蓋が接着シールされる使い捨て容器において、
前記フランジの上面に、等間隔で多数の頂点を有する多角環状のシール補強突条が一体に突設されることを特徴とする易開封性の使い捨て容器。
【請求項２】
前記シール補強突条のフランジの上面に対する内側面の角度と、フランジの上面に対する外側面の角度とは、それぞれ異なることを特徴とする請求項１に記載の易開封性の使い捨て容器。
【請求項３】
前記シール補強突条の断面視内側面の角度は７０°〜９０°であり、前記シール補強突条の断面視外面の角度は３０°〜６０°であることを特徴とする請求項２に記載の易開封性の使い捨て容器。
【請求項４】
容器本体の上縁部にフランジが形成され、フランジ上には蓋が接着シールされる使い捨て容器において、
前記フランジの上面に、環状に設けられ、フランジの上面に対する内側面の角度とフランジの上面に対する外側面の角度とが異なるシール補強突条と、前記シール補強突条の外周縁に等間隔で設けられる多数の突起とを具備することを特徴とする易開封性の使い捨て容器。
【発明の詳細な説明】
【技術分野】
【０００１】
本発明は、フィルム状の蓋を用いて内容物を密封包装する使い捨て容器に関し、さらに具体的には、蓋がシールされる容器本体上縁部のフランジ上に蓋の分離除去力が集中可能な多数のポイントが形成され、内側面と外側面との角度が異なるように構成されるシール補強突条を一体に突設させ、このシール補強突条上に蓋をシールさせることにより、容器の開封のために蓋を剥がすときに人為的な蓋の分離除去力がシール補強突条の任意のポイントを介して一箇所に集中できるようにし、小さい力でも容易に蓋の初期分離ができるようにして、蓋開封の際に過多な力の付与による容器の揺れによって誘発されるおそれのある内容物の漏れまたは除去力の分散による蓋の毀損などを防止するとともに、取り扱いの便宜性を図ることが可能な使い捨て容器に関するものである。
【背景技術】
【０００２】
一般に、内容物を密封包装する使い捨て容器は、容器本体のフランジ上には、フィルム状の蓋が立体的に接着シールされてより完璧な接着力と密封力が持てるよう、突出状のシール補強突条を設けるが、既存のシール補強突条は、断面視内・外面の形成角が同一であり、全体的な形態も単純な環状をしている。ところが、この使い捨て容器は、接着された蓋との連関関係において次のような問題点があった。
【０００３】
第一に、摘み部を有する蓋で容器を密封するとき、製品生産ラインの構造的特性上、蓋の摘み部を容器の特定のポイントに一致させることが難しく、蓋の初期開封を容易にするために別途の局部的構造をフランジ上に適用することが不可能であった。
【０００４】
したがって、シール補強突条の形状を、蓋の摘み部がいずれの部位に位置しても同一の開封効果を得るために環状にしているが、従来では、シール補強突条が単純な環状であるので、蓋の除去力が緩いシール補強突条の縁部に比較的均一に分散するため、初期分離が容易に行われない。したがって、相当大きい力が要求され、老弱者の場合には蓋の分離に困ることがあった。
【０００５】
第二に、過度に力を与えて分離すると、急激に蓋が分離される場合があるが、この場合、蓋の分離除去面が一定にならないか、蓋自体が破れてしまうという問題点があった。
【０００６】
第三に、容器の揺れによって内容物が流出し、これにより内容物又は身体の汚染または損傷をもたらすおそれがあり、製品の信頼性が低下するという問題点もあった。
【発明の開示】
【発明が解決しようとする課題】
【０００７】
そこで、本発明はこのような問題点に鑑みてなされたもので、その目的とするところは、容器の開封のため蓋を剥がすときに、人為的な蓋の分離除去力がシール補強突条の任意のポイントを介して一箇所に集中できるようにし、小さい力でも容易に蓋の初期分離ができるようにして、蓋開封の際に過度の力を与えることによる容器の揺れによって誘発されるおそれのある内容物の漏れまたは除去力の分散による蓋の毀損などを防止するとともに、取り扱いの便宜性を図ることが可能な使い捨て容器を提供することにある。
【課題を解決するための手段】
【０００８】
上記目的を達成するために、本発明は、容器本体の上縁部にフランジが形成され、フランジ上には蓋が接着シールされる使い捨て容器において、前記フランジの上面に、等間隔で多数の頂点を有する多角環状のシール補強突条が一体に突設される易開封性の使い捨て容器を提供する。
【０００９】
また、上記目的を達成するために、本発明は、容器本体の上縁部にフランジが形成され、フランジ上には蓋が接着シールされる使い捨て容器において、前記フランジの上面に、環状に設けられ、フランジの上面に対する内側面の角度とフランジの上面に対する外側面の角度とが異なるシール補強突条と、前記シール補強突条の外周縁に等間隔で設けられる多数の突起とを具備する易開封性の使い捨て容器を提供する。
【発明の効果】
【００１０】
本発明に係る使い捨て容器は、容器の開封のために蓋を剥がすときに人為的な蓋の分離除去力が多角環状のシール補強突条の頂点または突起を介して一箇所に集中できるようにすることにより、小さい力でも容易に蓋の初期分離ができるようにして、内容物の漏れや蓋の毀損などを防止するとともに、取り扱いの便宜性を図ることができるという効果を奏する。
【発明を実施するための最良の形態】
【００１１】
以下に添付図面を参照しながら、本発明の好適な実施例について詳細に説明する。
【００１２】
図１は本発明の一実施例を示す斜視図である。本発明の一実施例に係る使い捨て容器は、図１に示すように、容器本体１の上縁部にフランジ２が形成され、フランジ２上には蓋３が接着シールされる公知の構造において、前記フランジ２の上面に、等間隔で多数の頂点１１を有する多角環状のシール補強突条１０が一体に突設され、フランジ２の上面に対する内側面の角度とフランジの上面に対する外側面の角度とが異なるシール補強突条１０を具備して構成される。
【００１３】
図３及び図４は本発明の他の実施例を示す図である。本発明の他の実施例に係る使い捨て容器は、同図に示すように、容器本体１の上縁部にフランジ２が形成され、フランジ２上には蓋３が接着シールされる公知の構造において、前記フランジ２の上面に、環状に設けられ、フランジ２の上面に対する内側面の角度とフランジの上面に対する外側面の角度とが異なるシール補強突条２０と、前記シール補強突条２０の外周縁に等間隔で設けられる多数の突起２１とを具備して構成される。
【００１４】
次に、このように構成される本発明の作用について詳細に説明する。
【００１５】
まず、図１〜図４に示した本発明のシール補強突条は、頂点１１または突起２１の個数が増加するほど蓋３の初期分離力が低下するので、これを勘案し、蓋３の初期分離を容易にするため頂点１１または突起２１の個数を適切に設定する。
【００１６】
また、各頂点１１の間を連結するシール補強突条１０の部分は、直線状または内向きに湾曲した弧状にすることができるが、これに限定されない。シール補強突条１０は蓋３と接着結合して内容物を密封する。
【００１７】
一方、図２はシール補強突条１０の形状を細部的に示す要部拡大断面図である。図２に示すように、蓋３の開封を容易にするため、蓋３が接着される内側面１２と外側面１３との角度を異にし、内側面１２の角度は優れた接着を保つように約７０°〜９０°の角度にし、外側面１３の角度は蓋３の開封を容易にするために約３０°〜６０°の角度にした。
【００１８】
前記突起２１は、約１０〜２０個程度とし、必要に応じて適宜に増減することができる。また、前記突起２１は、シール補強突条２０より外側に突出していれば、シール補強突条２０と同一の高さにしても構わない。
【００１９】
本発明の容器は、密封状態で開封するために蓋３の摘み部を取って後ろに反らすと、蓋３の除去力が分散せず、シール補強突条１０の頂点１１またはシール補強突条２０の突起２１の一つに集中し、これにより蓋の除去力が損失なく蓋３の初期分離に使用されることにより、開封が迅速且つ容易になされる。
【００２０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００２１】
【図１】本発明の一実施例を示す斜視図である。
【図２】易開封性の実現のために本発明の容器に適用されるシール補強突条を示す要部拡大断面図である。
【図３】本発明の他の実施例を示す斜視図である
【図４】図３の平面図及び要部拡大斜視図である。
【符号の説明】
【００２２】
１    容器本体
２    フランジ
３    蓋
１０    シール補強突条
１１    頂点
１２    内側面
１３    外側面
２０    シール補強突条
２１    突起
【図１】
2006193212.tif 000003
【図２】
2006193212.tif 000004
【図３】
2006193212.tif 000005
【図４】
2006193212.tif 000006